(57)【要約】【課題】使用量が少なく、芳香性気体の安価な芳香性気体供給装置を提供すること、及び、排便者にとり排便時の不快な悪臭からくる不快感を低減でき、ポータブルトイレ近傍の介護環境を改善することのできるポータブルトイレを提供する。【解決手段】蒸発又は昇華して気体となる芳香剤を含む物質９を貯蔵する芳香物質貯蔵室２００と、前記貯蔵室２００と連通し該貯蔵室２００で発生した芳香性気体１１を貯蔵する気体貯蔵室１００と、前記気体貯蔵室１００中にあって芳香性気体１１を吸脱着する吸着剤１２などからなり、前記吸着剤１２に前記気体貯蔵室の吸気口４から吸気された空気を接触させて、吸着されていた芳香性気体１１を脱着させ前記気体貯蔵室の排気口１３から排出させるためのファン１４を有する芳香性気体供給装置１、及び、上記芳香性気体供給装置を用いたポータブルトイレ。【選択図】図１
2008113830.tif 000002
【特許請求の範囲】
【請求項１】
蒸発又は昇華して気体となる芳香剤を含む物質を貯蔵する芳香物質貯蔵室と、前記芳香物質貯蔵室と連通し芳香物質貯蔵室で発生した芳香性気体を貯蔵する気体貯蔵室と、前記気体貯蔵室中にあって芳香性気体を吸脱着する吸着剤と、前記気体貯蔵室に外気を吸い込む吸気口と、前記気体貯蔵室から芳香性気体を空気と共に排出させるための前記気体貯蔵室に設けた排気口と、前記気体貯蔵室中の吸着剤に前記吸気口から吸気された空気を接触させて吸着されていた芳香性気体を脱着させ前記排気口から排出させるためのファンとを有することを特徴とする芳香性気体供給装置。
【請求項２】
中央に開口部を有する座部と前記開口部の下方に設けられた便槽と便槽に設けられた開閉自在な蓋と、座部を支持する脚部とを有するポータブルトイレにおいて、便槽外に設けられた臭いセンサと、芳香噴出装置とを備え、前記センサが悪臭成分を検知することにより芳香噴出装置から芳香を噴出することを特徴とするポータブルトイレ。
【請求項３】
芳香噴出装置から噴出する芳香が芳香ガイド管に導かれ、該芳香ガイド管の開口部が前記座部に座った排便者の頭部近傍に設けられていることを特徴とする請求項２記載のポータブルトイレ。
【請求項４】
芳香噴出装置が請求項１記載の芳香性気体供給装置であることを特徴とする請求項２又は３記載のポータブルトイレ。
【請求項５】
中央に開口部を有する座部と前記開口部の下方に設けられた便槽と便槽を覆う開閉自在な蓋と、座部を支持する脚部とを有するポータブルトイレにおいて、起泡器とその起動指示装置とを備え、前記起動指示装置による信号により起泡器が泡を発生させ泡の塊が便槽中に放出されることを特徴とするポータブルトイレ。
【請求項６】
中央に開口部を有する座部と前記開口部の下方に設けられた便槽と便槽に設けられた開閉自在な蓋と、座部を支持する脚部とを有するポータブルトイレにおいて、臭いセンサと、着座センサと起泡器とを備え、前記着座センサが着座を検知することにより起泡器から一定量の泡の塊が便槽中に放出され、且つ、前記臭いセンサが悪臭成分を検知することにより起泡器から一定量の泡の塊が便槽中に放出されることを特徴とするポータブルトイレ。
【請求項７】
更に、芳香噴出装置を備え、前記臭いセンサが悪臭成分を検知することにより、芳香噴出装置から芳香を噴出することを特徴とする請求項６記載のポータブルトイレ。
【請求項８】
蒸発又は昇華して芳香性気体を発する液体又は固体を、容器内の空気中で気化させる工程と、
蒸発又は昇華により生じた芳香性気体を吸着剤に吸着させる工程と、
前記芳香性気体が吸着された吸着剤に空気流を当て芳香性成分を脱着させる工程とを、
有することを特徴とする芳香性気体を含有する空気流の供給方法。
【発明の詳細な説明】
【技術分野】
【０００１】
本発明は、芳香性気体供給装置及びポータブルトイレに関する。
【背景技術】
【０００２】
心身障害者、被介護者等が居室内で排便を行うための簡易便器としてポータブルトイレが用いられている。該ポータブルトイレは外槽と、該外槽の上面開口部から外槽内に懸架される便槽と、該開口部周縁に載置される便座と、該外槽の上面を被覆する蓋とからなる。更に排便時の姿勢が楽に安定にするものとして、椅子様にした、中央に開口部を有する座部と、該座部の開口部に懸架される便槽と、該座部の四隅を支持する脚部と背もたれ部と、アームレスト部とを有する、ポータブルトイレが知られている（特許文献１参照）。  また、椅子様タイプのものであるが、便槽が座部の開口部に懸架されずに、座部の下方に置かれたものも知られている（特許文献２参照）。
【０００３】
一方、被介護者、介護者、同居者等にとって介護環境のうち特に悪臭が問題となっており、介護環境における悪臭源は、ポータブルトイレ、ベッド、カーテン等の内装材といわれている。中でも、ポータブルトイレにおける排便時臭、便の貯留時臭、排泄物飛沫が内壁に付着し、微生物による分解によって生じる常時臭の悪臭対策が求められている。
【０００４】
ポータブルトイレの悪臭対策における画期的試みとして、臭いセンサで排便を検知し、消臭剤を超音波発振器により微細霧を発生させ便槽内壁に噴霧するポータブルトイレが提案されている。消臭剤は、排便時の臭いを消臭するとともに、消臭液に含有される微生物により付着した排泄物を早期分解することで常時臭をも防ぐことができるものである。臭いセンサとしてアンチモン酸亜鉛の厚膜センサを用いることにより、代表的悪臭ガスに対し官能的臭気限界濃度までセンサで検知できることが示されている（特許文献３）。
【０００５】
しかしながら、特許文献３のポータブルトイレでは、消臭剤を噴霧するため、消臭剤の使用量が多い、また菌の芽胞を用いるためメンテナンスを要し、消臭剤コストが高くなるという問題があった。更に噴霧装置は超音波発振器等を用いるため高価になるという問題もあった。また排便者にとり排便時の不快な悪臭から免れるには不十分であった。更に介護環境の悪臭を受身的に消す又は紛らわすことにとどまり、高い質の積極的な介護空間の演出までできるものではなかった。
【０００６】
【特許文献１】特開平１０−２９５５８５号公報
【特許文献２】特開平１１−１７８７４５号公報
【特許文献３】特開２００６−２４７１７７号公報
【発明の開示】
【発明が解決しようとする課題】
【０００７】
上記問題点に鑑み、本発明は、使用量が少なく、芳香性気体の安価な供給装置を提供すること、及び、排便者にとり排便時の不快な悪臭からくる不快感を低減でき、ポータブルトイレ近傍の介護環境を改善することのできるポータブルトイレを提供することを目的とする。
【課題を解決するための手段】
【０００８】
請求項１記載の発明による芳香性気体供給装置は、蒸発又は昇華して気体となる芳香剤を含む物質を貯蔵する芳香物質貯蔵室と、前記芳香物質貯蔵室と連通し芳香物質貯蔵室で発生した芳香性気体を貯蔵する気体貯蔵室と、前記気体貯蔵室中にあって芳香性気体を吸脱着する吸着剤と、前記気体貯蔵室に外気を吸い込む吸気口と、前記気体貯蔵室から芳香性気体を空気と共に排出させるための前記気体貯蔵室に設けた排気口と、前記気体貯蔵室中の吸着剤に前記吸気口から吸気された空気を接触させて吸着されていた芳香性気体を脱着させ前記排気口から排出させるためのファンとを有することを特徴とする。
【０００９】
請求項２記載の発明のポータブルトイレは、中央に開口部を有する座部と前記開口部の下方に設けられた便槽と便槽に設けられた開閉自在な蓋と、座部を支持する脚部とを有するポータブルトイレにおいて、便槽外に設けられた臭いセンサと、芳香噴出装置とを備え、前記センサが悪臭成分を検知することにより芳香噴出装置から芳香を噴出することを特徴とする。
【００１０】
請求項３記載の発明のポータブルトイレは、請求項２記載の発明のポータブルトイレにおいて、芳香噴出装置から噴出する芳香が芳香ガイド管に導かれ、該芳香ガイド管の開口部が前記座部に座った排便者の頭部近傍に設けられていることを特徴とする。
【００１１】
請求項４記載の発明のポータブルトイレは、請求項２又は３記載のポータブルトイレにおいて、芳香噴出装置が請求項１記載の芳香性気体供給装置であることを特徴とする。
【００１２】
請求項５記載のポータブルトイレは、中央に開口部を有する座部と前記開口部の下方に設けられた便槽と便槽を覆う開閉自在な蓋と、座部を支持する脚部とを有するポータブルトイレにおいて、起泡器とその起動指示装置とを備え、前記起動指示装置による信号により起泡器が泡を発生させ泡の塊が便槽中に放出されることを特徴とする。
【００１３】
請求項６記載のポータブルトイレは、中央に開口部を有する座部と前記開口部の下方に設けられた便槽と便槽に設けられた開閉自在な蓋と、座部を支持する脚部とを有するポータブルトイレにおいて、臭いセンサと、着座センサと起泡器とを備え、前記着座センサが着座を検知することにより起泡器から一定量の泡の塊が便槽中に放出され、且つ、前記臭いセンサが悪臭成分を検知することにより起泡器から一定量の泡の塊が便槽中に放出されることを特徴とする。
【００１４】
請求項７記載のポータブルトイレは、請求項６記載の発明のポータブルトイレにおいてさらに、芳香噴出装置を備え、前記臭いセンサが悪臭成分を検知することにより、芳香噴出装置から芳香を噴出することを特徴とする。
【００１５】
請求項８記載の芳香性気体を含有する空気流の供給方法は、蒸発又は昇華して芳香性気体を発する液体又は固体を、容器内の空気中で気化させる工程と、蒸発又は昇華により生じた芳香性気体を吸着剤に吸着させる工程と、前記芳香性気体が吸着された吸着剤に空気流を当て芳香性成分を脱着させる工程とを、有することを特徴とする。
【００１６】
以下、本発明を詳細に説明する。
第１の発明に係る芳香性気体供給装置は、蒸発又は昇華して気体となる芳香剤を含む物質を貯蔵する芳香物質貯蔵室と、前記芳香物質貯蔵室と連通し芳香物質貯蔵室で発生した芳香性気体を貯蔵する気体貯蔵室と、前記気体貯蔵室中にあって芳香性気体を吸脱着する吸着剤と、前記気体貯蔵室に外気を吸い込む吸気口と、前記気体貯蔵室から芳香性気体を空気と共に排出させるための前記気体貯蔵室に設けた排気口と、前記気体貯蔵室中の吸着剤に前記吸気口から吸気された空気を接触させて吸着されていた芳香性気体を脱着させ前記排気口から排出させるためのファンとを有することを特徴とする芳香性気体供給装置である。
【００１７】
蒸発又は昇華して気体となる芳香剤を含む物質とは、常温又は加温により蒸発する液体、昇華して気体となる固体、又は水、アルコール等に溶解した溶液であってもよく、更に、芳香物質分子が気体となって飛び出すものであれば、ゲルのような媒体に含浸させたものであってもよい。常温で蒸発する液体としては、例えば、植物精油、エッセンシャルオイルが、常温で蒸発し、少量で強い芳香を有し、無毒かつ、排泄物臭に対し消臭作用を有するために好ましい。昇華して気体を発するものとしては、例えば、麝香や霊猫香などの動物性香料、沈香や白檀等のような香木類、また代表的な合成香料ではメントール（はっか脳）、カンファー（しょう脳）、ボルネオール（竜脳）などが挙げられる。
【００１８】
芳香物質貯蔵室は、上記蒸発又は昇華して気体となる芳香剤を含む物質を貯蔵し、芳香性気体を発生させるための空間であって、気体貯蔵室と連通し、芳香物質貯蔵室中に充満した芳香性気体が連通部から気体貯蔵室に拡散する。芳香物質貯蔵室が、本体と蓋部でなる場合には蓋部に適当な大きさの貫通孔を開けておくことで、芳香物質貯蔵室中に芳香性気体を充満させ、適当な速度で気体貯蔵室に芳香性気体を拡散させることができるため好ましい。例えば、芳香剤を含む物質として、エッセンシャルオイルを用いる場合には、蓋部に開けられた貫通孔の孔径は０．６〜３．０ｍｍが好ましい。無駄な蒸発が無く、かつ必要な量の精油成分が気体貯蔵室に拡散するためである。なお、芳香物質貯蔵室には芳香性気体の発生を促進するために加熱手段等が設けられていてもよい。
【００１９】
気体貯蔵室は気体貯蔵室に空気を取り入れる吸気口と、気体貯蔵室から芳香性気体を空気と共に排出させるための前記気体貯蔵室に設けた排気口とを有し、更に芳香物質貯蔵室と連通した、芳香性気体を吸脱着する吸着剤を収蔵する空間である。
【００２０】
芳香性気体を吸脱着する吸着剤とは、芳香性気体を吸着し、該吸着剤表面に、吸気口から吸い込んだ空気を当てることにより、芳香性気体が脱着する性質のものをいう。吸着は物理吸着でも化学吸着でもよい。吸着剤は多孔性材料が好ましく、例えば、連続気泡スポンジ、活性炭等が挙げられるが、吸着量が大きいため活性炭が好ましい。吸着剤は吸着面積が大きい方が好ましいが、空気接触による脱着を行うためには、通気性のよい材料が好ましく、繊維状、シート状等であって、更に活性炭等の吸脱着性に優れたものが好ましい。例えば、繊維状活性炭、繊維状活性炭がシート化された繊維状活性炭シート、微細な気孔を有する炭素繊維が不織布化されたシート、活性炭粉末が担体に付着した活性炭シート等が挙げられる。尚、本発明で活性炭シートなどとして用いられる活性炭は、脱着が出来ることが必要なので、酸化剤や酸・塩基物質などが添着されていない、無添着の活性炭であることが好ましい。
【００２１】
気体貯蔵室に空気を取り入れる吸気口には、吸気中の塵埃、水分等を除去するために、フィルタが取り付けられていることが好ましい。
【００２２】
ファンは、気体貯蔵室中の吸着剤に前記吸気口から吸気された空気を接触させて吸着されていた芳香性気体を脱着させ、排気口から排出させるための気流を作り出すための、気流発生器である。差圧が発生するため、遠心ファンが好ましく、シロッコファンが好ましい。
【００２３】
ファンによって気体貯蔵室中の排気口から排気された排気は、ファンの吸気口を通り、さらにファン排気口から、チューブ・ホース等の芳香ガイド管等を介して必要な場所に導かれる。芳香ガイド管の最終開口部位置を適宜、排便者の頭部近傍にすることが、それにより、排便者の頭部（鼻）に芳香性気体が吹き付けられるので、排便者が自己の排便臭を嗅がずにすむため好ましい。
【００２４】
室温変化、芳香の濃度の好み等の調節のため空気流を制御するための流量制御装置、流速制御装置等が付設されていることが好ましい。
【００２５】
第２の発明に係るポータブルトイレは、中央に開口部を有する座部と前記開口部の下方に設けられた便槽と便槽に設けられた開閉自在な蓋と、座部を支持する脚部とを有するポータブルトイレにおいて、便槽外に設けられた臭いセンサと、芳香噴出装置とを備え、前記センサが悪臭成分を検知することにより芳香噴出装置から芳香を噴出することを特徴とするポータブルトイレである。
【００２６】
上記ポータブルトイレには、さらに、背もたれ部と、アームレスト部が設けられると、排便時に排便者が姿勢を楽に安定にすることができるので、好ましい。
【００２７】
臭いセンサは、排泄物から生じる悪臭成分の、アンモニア、メチルメルカプタン、硫化水素等に選択的感受性の高いものが好ましく、アンチモン酸亜鉛、酸化錫等の厚膜センサが好ましい。
【００２８】
本発明において、臭いセンサの検知部は便槽外に設置される。排便時に排便者にとり悪臭が漏れ出して不快状態となるのを、悪臭成分を検知して自動的に排便者の近傍に芳香性気体を噴出させることにより低減させるものだからである。
【００２９】
また、別に臭いセンサを便槽内、又は便槽の上方、例えば、座部内の下方部、側方部等の便槽を臨む位置に設け、便槽内の臭いを検知して消臭剤や芳香剤を便槽内に噴出させてもよく、更に便槽内壁に付着した排泄物が細菌による分解を受けて発臭するのを防ぐために、殺菌、静菌作用のある銀イオン液を便槽内に噴出させてもよい。
【００３０】
芳香噴出装置とは、芳香成分を噴出する装置をいい、液体または溶液状芳香剤を、微細霧として噴霧してもよいし、芳香性気体を空気と共に送気するものでもよい。芳香性気体を空気と共に送気するものが、装置が簡単で安価であり、かつ芳香剤が少量ですむので好ましい。
【００３１】
芳香噴出装置から噴出する芳香が芳香ガイド管に導かれ、該芳香ガイド管の開口部が前記座部に座った排便者の頭部近傍に設けられていることが好ましい。上記芳香ガイド管の材質としては、特に限定されないが、アルミニウムなどの金属やプラスチックスが挙げられる。芳香ガイド管の開口部は、排便者の頭部近傍に、複数個設けられるのが好ましく、開口部の径は、例えば、３ｍｍ程度が挙げられる。上記頭部近傍とは、芳香ガイド管の開口部から噴出する芳香が、座部に座った排便者の鼻の位置に到達するような位置を指すものである。
【００３２】
また、更に、座部に圧力を検知する着座センサが設けられており、着座センサの信号を受けて、銀イオン発生装置からガイド管を介して便槽中に向かって銀イオンを含む微細霧を吹き付けることもできるようにされていることが好ましい。また、着座センサとの連動により、排便者が着座状態にあるか否かで、消臭剤の散布量、散布タイミングも異なる設定にすることが好ましい。例えば、着座時には比較的短い間隔で散布し、非使用時は漏洩してくる臭いに応じて長いインタバルで散布する、ようにすることが好ましい。
【００３３】
請求項５記載のポータブルトイレは、中央に開口部を有する座部と前記開口部の下方に設けられた便槽と便槽を覆う開閉自在な蓋と、座部を支持する脚部とを有するポータブルトイレにおいて、起泡器とその起動指示装置とを備え、前記起動指示装置による信号により起泡器が泡を発生させ泡の塊が便槽中に放出されることを特徴とする。上記起泡器とは、例えば、界面活性剤等を起泡させることによって気泡を形成させる装置を意味する。上記起動指示装置とは、例えば、前述の臭いセンサ、着座センサ、その他のセンサ類などで、その検知信号に応じて起泡器の起動を指示する装置を指すものである。
【００３４】
尚、本発明において排便者の検知、便の位置、便の高さ、泡の塊の高さ等の検知・測定には、上記センサ以外にも、光学センサ、重量センサ、超音波センサ、静電容量センサ等を単独で又は組み合わせて用いてもよい。
【００３５】
請求項５記載のポータブルトイレでは、界面活性剤等による気泡を発生させる起泡器が設置されているので、起泡された泡の塊が便槽中に流入するようにしておき、着座センサや臭いセンサ等の起動指示装置を起泡器に接続することにより、着座センサによる着座信号により起泡器を稼動し排便前に泡の塊を便槽中に充満させておくことができる。泡が経時的に消滅し、排泄物表面が現われ悪臭が拡散するようになれば、臭いセンサによる悪臭信号により起泡器を稼動させることにより再び排泄物の表面を泡で覆うことにより、臭気の発散を抑制することができる。
【００３６】
上記起泡器としては、例えば、花王社のリリーフ(登録商標)製品カタログに記載されている「ポータブルトイレの消臭フォーム」、シェービングフォーム、石鹸液とグリセリン又は砂糖の混合液等に空気を吹き込む簡易な機器等が挙げられる。
【発明の効果】
【００３７】
請求項１記載の芳香性気体供給装置によれば、簡単な装置であるため、安価であり、霧滴を噴霧しないため、無駄なく芳香剤を用いることができる。更に気体貯蔵室に芳香性気体を貯蔵しておくため、高濃度の芳香性気体を最初から噴出させることができる。吸着剤に吸着させ空気との接触により脱着させるため、気体貯蔵室の容積を超える体積の芳香性気体を含む空気を排気させる場合でも濃度が維持できる。
【００３８】
請求項２記載のポータブルトイレによれば、排便時に排便者にとり悪臭が漏れ出して不快状態となるのを、臭いセンサで悪臭成分を検知することにより自動的に芳香を噴出させ不快感を低減させることができる。更に、排便時以外においても、介護環境中に排泄物臭が漂うことによる、被介護者、介護者、同居者等の不快感を、臭いセンサで悪臭成分を検知することにより自動的に検知し、芳香を噴出させるため、介護環境が改善される。心理負担も軽減される。
【００３９】
請求項３記載のポータブルトイレによれば、排便時に排便者にとり悪臭が漏れ出して不快状態となるのを、臭いセンサで悪臭成分を検知することにより自動的に排便者の顔（鼻）の近傍に芳香を噴出させるので、排便時の悪臭による不快感を低減させることができる。
【００４０】
請求項４記載のポータブルトイレによれば、芳香噴出装置が請求項１記載の芳香性気体供給装置であるので、芳香噴出装置が簡単で、安価であり、霧滴を噴霧しないため、無駄なく芳香剤を用いることができる。更に、気体貯蔵室に芳香性気体を貯蔵しておくため、高濃度の芳香性気体を最初から噴出させることができる。吸着剤に吸着させ空気との接触により脱着させるため、気体貯蔵室の容積を超える体積の芳香性気体を含む空気を排気させる場合でも濃度が維持できる。
【００４１】
請求項５記載のポータブルトイレによれば、起泡器によって起泡された泡の塊が便槽中に流入するようにしておき、着座センサや臭いセンサ等の起動指示装置の指示によって起泡器を稼動し排便前に泡の塊を便槽中に充満させておくことができる。泡が経時的に消滅し、排泄物表面が現われ悪臭が拡散するようになれば、起動指示装置により起泡器を稼動させることにより再び排泄物の表面を泡で覆うことにより、臭気の発散を抑制することができる。したがって、排便時に排便者にとり悪臭が漏れ出して不快状態となるのを、効果的に低減させることができる。
【００４２】
請求項６記載のポータブルトイレによれば、着座センサが排便者が着座したことを感知して、検知信号により、起泡器を稼動し排便前に泡の塊を便槽中に充満させておくことができ、排泄物は泡の下層に沈むことにより排泄物表面は泡に覆われた状態になり、臭気の発散が抑制される。泡が経時的に消滅し、排泄物表面が現われ悪臭が拡散するようになれば、臭いセンサが臭いを検知し、その検知信号により起泡器を稼動させることにより再び排泄物の表面を泡で覆うことにより、臭気の発散を抑制することができるので、排便時及びそれ以降も悪臭が漏れ出して不快状態となるのを、効果的に低減させることができる。
【００４３】
請求項７記載のポータブルトイレによれば、上記請求項５記載の発明の効果を奏するとともに、臭いセンサが悪臭成分を検知することにより、芳香噴出装置から芳香を噴出することができるので、排便者の不快感を一層低減させることができる。更に、排便時以外においても、介護環境中に排泄物臭が漂うことによる、被介護者、介護者、同居者等の不快感を、臭いセンサで悪臭成分を検知することにより自動的に検知し、芳香を噴出させるため、介護環境が改善され、心理負担も軽減される。
【００４４】
請求項８記載の芳香性気体を含有する空気流の供給方法を用いて得られる空気流を鼻粘膜にあてる用途に用いると、気体分子が直接鼻の粘膜に作用するので、鼻粘膜に到達する以外に無駄に用いられる霧滴となる芳香剤が不要で、少量で有効に作用する。空気流を当てて脱着するので芳香性気体を含有する空気中には最初から高濃度の芳香性気体を含有する。
【発明を実施するための最良の形態】
【００４５】
以下に、実施例を挙げて本発明を詳しく説明する。
【実施例１】
【００４６】
図１は本発明の芳香性気体供給装置１の一例を示す断面図である。上端部にねじが設けられ底部を有する筒状本体２と、ねじが設けられた蓋３とが螺合することにより、気体貯蔵室１００が形成されている。気体貯蔵室１００の大きさは、Φ５０ｍｍ×高さ７７ｍｍである。蓋３には複数の吸気口４、４・・・が設けられ、蓋３の外面側には、複数の貫通孔５ａ、５ａ・・・が設けられた流量調整蓋５が蓋３と接触して設けられている。蓋３の複数の吸気口４、４・・・と、流量調整蓋５の複数の貫通孔５ａ、５ａ・・・は、流量調整蓋５が回されることにより、重なり得るように形成されており、この重なりの程度が調整されることにより、蓋３の吸気口４、４・・・からの吸気量が調節されるようにされている。
【００４７】
蓋３の内面側には、空気浄化フィルタ６が取り付けられている。
【００４８】
気体貯蔵室１００の内部に、上端部にねじが設けられ底部を有する筒状本体７とねじが設けられた蓋８とが螺合されて形成されてなる芳香物質貯蔵室２００が設けられている。上記筒状本体７は、気体貯蔵室１００の内部で動かないように、気体貯蔵室１００の底部に立設された円筒状の固定用枠１７に差し込まれている。芳香物質貯蔵室２００の大きさは、Φ３０ｍｍ×高さ４３ｍｍである。
【００４９】
芳香物質貯蔵室２００には、芳香剤を含む物質９として植物精油成分が貯蔵されており、芳香剤を含む物質９から放出された芳香性気体１１が芳香物質貯蔵室２００の空間部に充満している。蓋８の中央には、直径１．３ｍｍの貫通孔１０が設けられており、芳香性気体１１が貫通孔１０から気体貯蔵室１００中に拡散するようにされている。
【００５０】
植物精油成分は、ユーカリ油（主成分；１，８シネオール）、ヒノキ油（主成分；α‐ピネン，α‐テルピネオール）、リセアキュベバ油（主成分；シトラール）、マンダリン油（主成分；ｄ‐リモネン）、グレープフルーツ油（主成分；ｄ‐リモネン）、ジャスミン油（主成分；酢酸ベンジル）等を調合して作製した。その組成は、１，８シネオール８３．０％、γ‐テルピネン３．００％、ｐ‐シメン２．２１％、α-ピネン２．２０％、β‐ピネン０．６０％他からなり、その主成分として含まれる１，８シネオール等が芳香性気体となる。
【００５１】
気体貯蔵室１００中の芳香物質貯蔵室２００の外周部を囲むようにして、活性炭繊維シート（ユニチカ株式会社製、品名  コルウェーブ（ＲＭＷタイプ）、種類  １１山／１００ｍｍ（８ｍｍＨ）、品番  ＲＭＷ−Ｂ０３４Ｋ−１１Ａ、坪量２２０ｇ／ｍ２、活性炭繊維シートは、３０μのピッチ系炭素繊維と略同じ径の成型用バインダー繊維とからなる厚さ１ｍｍ程度の不織布である。炭素繊維の表面には微細な気孔が多数存在する。）１２が充填されており、この活性炭繊維シート１２に、上記の貫通孔１０から気体貯蔵室１００中に拡散した芳香性気体１１が吸着される。活性炭繊維シート１２は活性炭繊維シート充填層を気流が通過する様通気性を維持した状態にて充填されている。
【００５２】
上記空気浄化フィルタ６にも、フィルター機能及び吸着剤としての副次機能も併せ持つため上記活性炭繊維シート（ユニチカ株式会社製、品名  コルウェーブ（ＲＭＷタイプ））が用いられている。
【００５３】
気体貯蔵室１００の底部には少なくとも１個の排気口１３が設けられている。
【００５４】
筒状本体２の下部には、シロッコファン（図示せず）とモーター（図示せず）を内臓するブロア１４が、上記排気口１３にブロア１４の吸気口１５が接続されるようにして取り付けられている。ブロア１４からの排気は排気口１６から排気される。
【００５５】
上記の芳香性気体供給装置１は、以下のようにして使用される。臭いセンサ等の信号によりブロア１４が駆動すると気体貯蔵室１００の吸気口４から空気清浄フィルタ６を通って空気が吸いこまれ、活性炭繊維１２の充填層を通じて流れ、排気口１３、ブロア１４の吸気口１５を通り、ブロア１４の排気口１６から排気される。この時、気体貯蔵室１００中の芳香性気体と活性炭繊維１２に吸着されて脱着された芳香性気体とが、排気口１６から空気とともに放出される。
【実施例２】
【００５６】
図２は、本発明のポータブルトイレ３０を模式的に示した側面図であり、図３は、模式的に示した背面図である。ポータブルトイレ３０は、中央に開口部３１を有する座部３２と、該座部３２の開口部３１の下方に設けられた便槽３３と、便槽３３に設けられた開閉自在な便槽の蓋３４とその取手３４ａと、該座部３２の四隅を支持する脚部３５と、背もたれ部３６と、アームレスト部３７を有するものであり、アームレスト部３７の下側部分に臭いセンサ３９、実施例１の芳香性気体供給装置４０、臭いセンサ３９の検知信号を受けて芳香気体供給装置４０を動作させ芳香性気体を発生させる制御装置４１が設けられている。芳香気体供給装置４０のブロアの排気口には芳香ガイド管４２が取り付けられており、その先端（最上部）付近に設けられた開口から、気流が排便者の首側面、顔側面を廻りこんで鼻に届くように、芳香性気体を含む空気が噴出するようにされている。
【００５７】
ポータブルトイレ３０の座部３２は、背もたれ部３６側の一辺を軸に水平方向と垂直方向に回動可能にされている。また、座部３２の上には、座部３２を覆う座部カバー３８が設けられており、この座部カバー３８も背もたれ部３６側の一辺を軸に水平方向と垂直方向に回動可能にされている。この座部カバー３８は、剛性の高い材料で作られており、そのほぼ中央部で２つ折りが可能にされている。このカバー３８が水平方向に位置されると、便槽３３を覆い隠すとともに、その上に腰を下ろすことにより、このポータブルトイレ３０を椅子としても使用可能となるようにされている。
【００５８】
なお、このポータブルトイレ３０は、上記座部カバー３８よりも下方の部分の外周部は、４方向共にカバーで覆われているが、図２及び図３においては内部が見えるように、そのカバーを外した状態の図を示している。
【００５９】
臭いセンサ３９が排泄物のメルカプタンのような悪臭成分を検知すると、制御装置４１により、芳香性気体供給装置４０のブロアを稼働させて、ブロアの排気口から芳香ガイド管４２を介して、その先端（最上部）又は先端（最上部）付近の開口部から芳香性気体を含む空気が吹きだすようにされている。なお、上記芳香ガイド管４２は内径８ｍｍのアルミ管からなり、ブロアの２つの排気口に接続されてループが形成されている。その排便時に座部３２に座った排便者の首側面、顔側面を廻りこんで、鼻に芳香性気体が当たるように、芳香ガイド管４２の先端（最上部）付近に、直径３ｍｍの円形の開口が左右５個ずつ形成されている。
【００６０】
更に、座部内の下方部であって便槽３３を臨む位置に臭いセンサ４４が別に設けられており、臭いセンサ４４が便槽３３中の排泄物のメルカプタンのような悪臭成分を検知すると、制御装置４１により、図３中に示す、別に設けた実施例１と同じ芳香性気体供給装置４５のブロアを稼働させて、ブロアの排気口から、座部内の下方部を通って、先端が便槽３３中に向かって開口している芳香ガイド管４６を介して、便槽３３中に芳香性気体を吹き付けるようにされている。
【００６１】
更に、図３に示すように、銀イオンを含む液を貯留し、超音波により銀イオンを含む微細霧を発生させ小型有圧ファンにより平均粒径３ミクロンの霧を噴霧する銀イオン発生装置４７が設けられており、臭いセンサ４４が便槽３３中の排泄物のメルカプタンのような悪臭成分を検知すると、制御装置４１により、銀イオン発生装置４７から、座部内の下方部を通って、先端が便槽３３中に向かって開口しているガイド管４８を介して、便槽３３中に銀イオンを含む微細霧を吹き付けるようにされている。
【００６２】
更に、アームレスト部３７の手先を載せる部分に手動スイッチ４９が設けられており、用便者、介護者等が操作することにより、その信号は制御装置４１により、芳香性気体供給装置４０のブロアを稼働させて、ブロアの排気口から芳香ガイド管４２を介して、その先端（最上部）付近に設けられた開口から芳香性気体を含む空気を噴出することもできるようにされている。
【００６３】
更に、座部３２に圧力を検知する着座センサ５０が設けられており、着座センサ５０の信号は制御装置４１により、銀イオン発生装置４７からガイド管４８を介して便槽３３中に向かって銀イオンを含む微細霧を吹き付けることもできるようにされている。
【００６４】
なお、図３においては、芳香性気体供給装置４０、別の芳香性気体供給装置４５及び銀イオン発生装置４７は、ポータブルトイレ３０の背面側の下方に一列に並んで設置されているが、これらの位置は特に限定されるものではなく、それぞれがポータブルトイレのどこにあってもよく、例えば、側面にあっても良い。なお、図２においては、図３に見られるように一列に並んだ芳香性気体供給装置４０、別の芳香性気体供給装置４５及び銀イオン発生装置４７のうち、芳香性気体供給装置４０だけを図示している。
【００６５】
上記ポータブルトイレ３０の使用は、以下のようにして行われる。座部カバー３８を二つ折にして背もたれ部側に押しやり、座部３２を露出させ、次いで、座部３２の前部を持上げ、背もたれ部側の軸を中心に回動させ９０度以上あげた状態で固定させ、便槽３３に設けられた便槽の蓋３４をその取手３４ａを掴んで取り外す。次に、座部３２を水平に戻し、この状態で、座部３２に座って排便する。排便中は、上記のように、臭いセンサ３９、臭いセンサ４４、着座センサ５０などの検知信号や手動スイッチ４９の信号に応じて制御装置４１の指示により、芳香性気体供給装置４０、別の芳香気体供給装置４５から芳香性気体、銀イオン発生装置４７から銀イオンを含む霧が放出される。
【００６６】
排便後、座部３２を垂直方向に向け、便槽の蓋３４を被せて座部３２を水平にし座部カバー３８を座部３２上に被せる。又適宜時期には、座部カバー３８を二つ折にして背もたれ部側に押しやり、座部３２を露出させ、次いで、座部３２の前部を持上げ、背もたれ部側の軸を中心に回動させ９０度以上あげた状態で固定させ、便槽３３を取り出し排泄物を廃棄処理し洗浄、乾燥後、便槽３３を元の位置に戻した後、便槽の蓋３４を便槽３３に被せる。次いで、座部３２、座部カバー３８を水平方向に戻して次の使用に備えたり、椅子として用いたりする。
【００６７】
上記の臭いセンサ３９及び臭いセンサ４４は、アンチモン酸亜鉛厚膜を用いた半導体式臭いセンサであり、保護キャップサイズは８ｍｍ径で約８ｍｍ長である。保護キャップ内には、センサ基板が設置されている。センサ基板は、白金電極とヒーターを備えたアルミナ基板にアンチモン酸亜鉛ゾル溶液を滴下して、乾燥、焼成を行い、アンチモン酸亜鉛厚膜を白金電極上に形成したものである。ヒーターに通電することにより厚膜の温度を３００℃に保ち、悪臭ガスが保護キャップを通ってセンサ基板に到達するとアンチモン酸亜鉛厚膜の電気抵抗が変化し、ガスを検知する。
【００６８】
本センサは、排泄物に関する悪臭の元となる硫化水素やメチルメルカプタンなどの揮発性硫黄化合物を高感度で検出でき、検出下限は０．０２ｐｐｍとヒトの鼻の閾値と同程度の性能を有する。５００〜３０００ｐｐｍのエタノールにはあまり応答せず、硫黄系悪臭ガスに対して高い選択性を有する。また、センサは電気抵抗の変化からガス検知を行うが、抵抗の測定は電流検出法により行っている。
【００６９】
上記の制御装置４１の機能などについてまとめると、周辺電子回路内臓のワンチップＰｓｏｃマイコンであり、臭いセンサ、着座センサの応答、手動スイッチの作動を処理し芳香性気体供給装置や銀イオン発生装置の動作を制御し、また臭い検知安定化のためソフトウエアによる各種処理を行うものである。
【００７０】
上記臭いセンサでの検出及び制御について以下詳しく説明する。３００℃位に加熱した上記の半導体センサに対象の臭い（有機物）が接触すると還元反応でその抵抗値が下がる。本センサはこの原理を応用したものである。センサ（Ｒｓ）と電圧変化を計るための基準抵抗（１００ｋΩ位）を直列に接続し、この基準抵抗にかかる電圧の変化を測定する。この２つの直列の抵抗にＤＣ５Ｖの電圧をかけて測定する。基準抵抗にかかる電圧は約３Ｖに調整（基準抵抗の値は可変抵抗器で容易に変えられる）する。センサが臭気を感知すると、Ｒｓが急速に下がり、センサに流れる電流が増加する。結果として基準抵抗の電圧が上昇する。この電圧変化を時間で微分して微分値を算出し、微分値により、臭いの検出を行う。
【００７１】
具体的には０．０７Ｖ／２秒の上昇率以上になると、悪臭ありと判断し芳香性気体発生装置を作動させる。臭いが減衰してゆく過程では逆に減衰の微分値を算出検知する。実際は０．０５Ｖ／２秒以上の減衰率でＯＦＦ、消臭機器類を停止させる。また、臭いの減衰が緩やかで０．０５Ｖ／２秒以下の時はタイマで６０秒後に自動的に停止させる。さらに着座センサがあり、これが動作しているときは臭気検知でＯＮになった後、着座センサがＯＦＦにならない限り排便中と判断し芳香の噴気を続けるようにする。
【００７２】
なお、以上の制御方法は、この方法だけに限定されるわけではなく、適宜変更され得るものである。例えば、臭いがそれほど強くなくても動作するように臭い上昇時は０．０５Ｖ／２秒で香気噴気がＯＮ、下降時は０．０３Ｖ／２秒以上でＯＦＦにすることもできる。制御器はマイコンを使用しているのでこれらの定数はソフトで容易に変更できる。
【００７３】
なお、図２では、電源、並びに、例えば、制御装置と臭いセンサとブロア等との配線等の配線は全て図示していない。
【実施例３】
【００７４】
本発明の芳香性気体供給装置と従来の噴霧器との芳香剤の使用量の比較を以下のようにして実験した。
（実験用装置による測定）
５００ｃｃ密閉容器に、実施例１で用いたと同じ活性炭繊維シートと、蓋を開けたビンに充填した下記芳香剤とを一緒に入れて温度２０度、湿度は６０％で一昼夜放置し、活性炭繊維シートに芳香性気体を吸着させた。活性炭繊維シートの重量は、吸着前は、２．１６３３ｇであったが、上記のようにして一昼夜放置後は２．１９１２ｇであった。
【００７５】
活性炭繊維シートを取り出して図４に示した実験用装置内に充填した。図４に示した実験用装置は、透明なポリエチレンテレフタレート樹脂製の５００ｃｃ瓶（以下ＰＥＴボトルと略す）の上端開口部に、塩化ビニル樹脂製の中空のノズルが設けられたものであり、上記装置の底部には送風機（日本サーボ株式会社製、ＤＣ遠心ブロアＥ０５１Ｈで、最大風量は１２５リットル／ｍｉｎ）が、送風機の排風がもれなく入るように接続されている。なお、図４及び後述の図５において、送風機は上記装置の底部の外面に取り付けられているので、見えてはいない。
【００７６】
（使用芳香剤）
使用した芳香剤は、実施例１で用いたものと同じであり、組成は、１，８シネオール８３．０％、γ‐テルピネン３．００％、ｐ‐シメン２．２１％、α‐ピネン２．２０％、β-ピネン０．６０％他からなる。
【００７７】
（臭いセンサの作製）
アンチモン酸亜鉛ゾル溶液を白金電極付きアルミナ基板（裏面にはヒーターが配備）上に滴下し、乾燥、焼成して、アンチモン酸亜鉛厚膜センサを得た。動作温度３００℃で測定したところ、３ｐｐｍの硫化水素に対する感度（空気中のセンサ抵抗Ｒａの硫化水素含有雰囲気中の抵抗Ｒｇに対する比、Ｒａ／Ｒｇ）は９．４、０．０５ｐｐｍの硫化水素に対する感度は１．８であった。
【００７８】
（測定系の作製）
図５に示すように、上記で作製した臭いセンサを、図４に示した実験用装置の塩化ビニル製の中空のノズルの上部先端である排気出口の真上１０ｃｍの位置に設置した。周囲温度は２５℃前後、湿度は６０％前後であった。なお、図５にみえる実験用装置においては、ＰＥＴボトル内に活性炭シートが入っていないが、以下の測定中は図４にあるような、ＰＥＴボトル内に活性炭シートが入っている実験用装置を用いた。
【００７９】
（芳香の測定）
送風機を駆動させて（排気量６０リットル／ｍｉｎ）、実験用装置の底部から排風を流し、ＰＥＴボトル内の活性炭シート中を通過させ、塩化ビニル製の中空のノズルの先端の排気出口から実験用装置の外にだし、排気が臭いセンサに当たるようにした。排気が臭いセンサに当たると、芳香性気体の濃度に応じてセンサの出力電位が変化する。そこで、送風機駆動後の時間経過による、上記センサの出力電位の変化を測定した。この実験結果を図６に実施例３として示した。測定実験は７２８７秒間行ったが、図６では開始後２４００秒までのところを示した。
【００８０】
（芳香剤使用量の測定）
送風実験終了後の活性炭繊維シートの重量は、送風実験後２．１５９５ｇであり、実験前の２．１９１２ｇと比較すると、気化量は３１．７ｍｇであった。この気化に要した時間は７２８７秒であるので、２４００秒当たりの気化量は、３１．７÷７２８７×２４００より、１０．４ｍｇとなる。また、３６００秒当たりの気化量で計算すると、１５．７ｍｇとなる。
【００８１】
（比較例１）
実施例３で用いた図５に示した測定系から、臭いセンサのみを残して他のものは全て取り払った。従来型噴霧器として株式会社ヤマダアトマイザー社製のパフューム  アトマイザー（ガラス製）を用いた。実験時には、このアトマイザに、実施例３で用いた芳香剤を０．５ｃｃ充填して使用した。通常、この噴霧器を使用する状態に似せて、図７に示すように、上記センサから水平方向に１５ｃｍ離れた位置から、該センサに向かって芳香剤を３回吹きつけた後（このときの吹き付け量は、３回の合計で１０５ｍｇであった）、センサの応答を実施例３と同様に測定した。この実験結果を図６に比較例１として示した。測定実験は３５９９秒間行ったが、図６では開始後２４００秒までのところを示した。
【００８２】
（実験結果の解析）
図６のグラフを解析する。各グラフにおいて、測定値とベースラインを表す直線（測定値０の直線。Ｘ軸）とで挟まれた部分の面積を積分値と呼ぶことにすると、積分値は、芳香剤の排出総量に相当する数値となる。この積分値を開始から２４００秒の範囲でとってみると、詳細は省略するが、この値は実施例３では２６３６．１、比較例１では、２４２６．３となる。また、各グラフにおいて測定値の最大値をピーク値と呼ぶことにすると、ピーク値は、実施例３では１．５８４Ｖ、比較例１では２．６８１Ｖとなる。そこで、ピーク値÷積分値を求めると、これは排出総量に対するピーク値の大きさを相対的に表す指標で、この値が小さければ、芳香剤は時間内に安定して出ていることを意味するものと考えられる。
【００８３】
実際に、ピーク値÷積分値を計算すると、実施例３では６．０×１０−４となるが、比較例１では１１×１０−４となる。すなわち、ピーク値÷積分値の値は、実施例３の方は比較例１の２分の１程度になっている。したがって、比較例（アトマイザー）と比較して、本発明で用いる芳香性気体供給装置は、臭いの強さを安定的に供給できる、と考えられる。これは、主として本発明で用いる芳香性気体供給装置が単なる液体からの蒸発ではなく、一旦広い固体表面（今回は活性炭繊維シート）に捕捉した微量の芳香剤が徐々に脱着することにより生じた結果であると考えられる。
【００８４】
なお、上記の積分値を開始から１２００秒の範囲でとってみると、実施例３では１４９７．６、比較例１では、１５７９．７となる。また、各グラフにおいて、ピーク値は実施例３では１．５８４Ｖ、比較例１では２．６８１Ｖとなるので、ピーク値÷積分値を求めると、実施例３では１１×１０−４となるが、比較例１では１７×１０−４となる。すなわち、ピーク値÷積分値の値は、実施例３の方は比較例１の６５％になっている。
【００８５】
また、上記の積分値を開始から６００秒の範囲でとってみると、実施例３では８１９．７、比較例１では、９７７．７となる。また、各グラフにおいて、ピーク値は実施例３では１．５８４Ｖ、比較例１では２．６８１Ｖとなるので、ピーク値÷積分値を求めると、実施例３では１９×１０−４となるが、比較例１では２７×１０−４となる。すなわち、ピーク値÷積分値の値は、実施例の方は比較例７０％になっている。このように、積分の範囲を開始から２０分、又は、１０分に変えても、ピーク値÷積分値は、実施例の方が比較例よりも小さく、本発明で用いる芳香性気体供給装置は、臭いの強さを安定的に供給できる、と考えられる。
【００８６】
以上の実施例３と比較例１の実験結果から、以下のことが分る。
１）両者でいずれの評価時間においても積分値がほぼ同程度になり、芳香としての暴露総量が同程度と判断でき、また、実際に鼻で判断しても芳香の強さも同程度であった。したがって、芳香剤使用量を併せて評価すると、同じ強さのにおいを供給するのに、３６００秒（１時間）あたりで見ると、市販アトマイザでは約６．７倍の芳香剤の使用量であることを示している（∵１０５÷１５．６＝６．７）。
２）さらに、両者でピーク値／積分値を比較すると、いずれも時間においても、本発明で用いる芳香性気体供給装置の方が市販アトマイザの１／１．５から１／２程度に小さくなっており、このことは、気化装置により長期的に安定した芳香の供給が可能になっていることを示している。
【実施例４】
【００８７】
本発明のポータブルトイレの、他の一例を示す図面代用写真を図８に示す。このポータブルトイレにおいては、芳香噴出装置として実施例１の芳香性気体供給装置を用いた（ただし、芳香物質貯蔵室は後述の通りとした）。このポータブルトイレを用いて、芳香性気体供給装置を間歇的に作動させて、芳香放散の程度を実用テストした。このポータブルトイレは、芳香性気体供給装置のブロアを稼働させて、ブロアの排気口から芳香ガイド管を介して、その開口部から芳香性気体を含む空気が吹きだすようにされているものであり、上記芳香ガイド管は内径８ｍｍのアルミ管からなり、その先端付近（最上部付近）に、直径３ｍｍの円形の開口が左右５個所ずつ形成されているものである。
【００８８】
芳香性気体供給装置には、内径４４ｍｍ、高さ５０ｍｍの円筒体からなる芳香物質貯蔵室中に、芳香剤入りの直径２０ｍｍの円筒体状の瓶を入れた。芳香剤入りの瓶には中ふたがついており、直径１．３ｍｍの孔があいていた。芳香剤は、実施例１で用いたものと同じものを用いた。ブロアの排気量は８０リットル／ｍｉｎとした。
【００８９】
芳香性気体供給装置の吸気口を全開とした。実験室の窓を４分の１程度あけて実験室内の空気が外気と換気できるようにした。臭いセンサを排便時の鼻の位置を想定して設置した。すなわち、背もたれについた芳香ガイド管の開口から、水平方向に平均距離で２５ｃｍ程度離れ、垂直方向は片側５箇所形成された開口部の内の中央の開口部の高さ（座部から６５ｃｍ上）に、臭いセンサを設置した。
【００９０】
まず、３分間ブロアを稼動させた後、停止させた。ブロアの稼動から1分後に臭いセンサでの臭い検知を開始した。開始から２２分後から３分間ブロアを稼動させた後、停止させた。ブロアの最初の稼動開始時間からの経過時間とセンサ検知電圧の測定値の関係を図９に示した。図９に示されるように、ブロアが稼動すると、センサ検知電圧が高まり、芳香性気体が排便者の鼻に相当する位置に流れることが確認できた。また、その位置に鼻を近づけると十分の芳香が流れていることが、官能的にも確認できた。
【実施例５】
【００９１】
本発明のポータブルトイレの、更に、他の一例を示す図面代用写真を図１０に示す。この写真は、ポータブルトイレを斜め上から俯瞰した写真である。なお、座部のカバーは、２つ折りして垂直方向に立ち上げられている。
【実施例６】
【００９２】
本実施例におけるポータブルトイレは、中央に開口部を有する座部と、該座部の開口部の下方に設けられた便槽と、便槽に設けられた開閉自在な便槽の蓋とその取手と、該座部の四隅を支持する脚部と、背もたれ部と、アームレスト部を有するものであり、更に、アームレスト部の下側部分に第１の臭いセンサと、座部内の下部であって便槽を臨む位置に第２の臭いセンサと、座部に座部に座った排便者の圧力を検知する着座センサと、起泡器と、芳香性気体供給装置と、制御装置とが設けられている。上記制御装置は、第１の臭いセンサ、第２の臭いセンサ又は着座センサの検知信号を受けて、起泡器を動作させ一定量の泡の塊を発生させたり又は芳香性気体供給装置を動作させて芳香性気体を噴出させたりするためのものである。
【００９３】
ポータブルトイレの座部は、背もたれ部側の一辺を軸に水平方向と垂直方向に回動可能にされている。また、座部の上には、座部を覆う座部カバーが設けられており、この座部カバーも背もたれ部側の一辺を軸に水平方向と垂直方向に回動可能にされている。この座部カバーは、剛性の高い材料で作られており、そのほぼ中央部で２つ折りが可能にされている。このカバーが水平方向に位置されると、便槽を覆い隠すとともに、その上に腰を下ろすことにより、このポータブルトイレを椅子としても使用可能となるようにされている。
【００９４】
なお、このポータブルトイレは、上記座部カバーよりも下方の部分の外周部は、４方向共にカバーで覆われている。
【００９５】
上記起泡器について詳しく述べる。エアゾル式発泡スプレー（花王株式会社のリリーフ（登録商標）「ポータブルトイレの消臭フォーム」）を用いた。同スプレーは手動にてノズルヘッドを押し込むことにより気泡がノズルヘッドから吐出され、ノズルヘッドを押し込むのをやめると吐出が止む。上記エアゾル式発泡スプレーのボンベに、発泡スプレーのノズルヘッドを電気信号に基づきノズルヘッドを押しこみ又は戻す動作をさせるための自動装置が取り付けられている。
【００９６】
上記自動装置は、発泡スプレーのノズルヘッドを押しこむアクチュエータ機構として、小型ＤＣモータ（電圧ＤＣ５〜２４Ｖ）とウオ−ムギアを含めた小型減速パワー増幅ユニットとノズルヘッドを押し込み又は戻すカム機構とで構成されている。小型と低価格、オイルレスフリーメンテナンスを考慮し、これらの減速パワーアップギアには、一部プラスチックギアが使われている。なお、ノズルヘッドを押しこむ動作と戻す動作をさせる機構は、上記のようなカム機構を利用するものに代えて、モータを逆回転させる方法を利用するものにしてもよい。
【００９７】
前記着座センサからの着座検知信号により、制御装置を介して起泡器から気泡が放出され、シリコンチューブからなるガイド管によって、便槽内の上部の排出位置まで導かれ、そこから便槽中に向かって一定量の泡の塊が放出されるようにされている。泡は排泄物を必要な厚さの層で覆い臭気が漏れださなければよく、過剰に放出すれば便槽が泡で溢れ、無駄でもあるため、タイマー、臭いセンサーの検知信号等により気泡発生が制御され、一定量の泡の塊が放出されるようにされている。
【００９８】
前記着座センサの信号は制御装置により、銀イオン発生装置からガイド管を介して便槽中に向かって銀イオンを含む微細霧を吹き付けることもできるようにされている。
【００９９】
更に、第２の臭いセンサが便槽中の排泄物のメルカプタンのような悪臭成分を検知すると、制御装置を介して起泡器から気泡が放出され、シリコンチューブからなるガイド管によって、便槽内の上部の排出位置まで導かれ、そこから便槽中に向かって一定量の泡の塊が放出されるようにされている。
【０１００】
芳香性気体供給装置は、実施例２に記載のものと同じものであり、ブロアの排気口には実施例２と同様な芳香ガイド管が取り付けられており、第１の臭いセンサの信号により、その先端（最上部）付近に設けられた開口から、気流が排便者の首側面、顔側面を廻りこんで鼻に届くように、芳香性気体を含む空気が噴出するようにされている。
【０１０１】
更に、アームレスト部の手先を載せる部分に手動スイッチが設けられており、用便者、介護者等が操作することにより、その信号は制御装置により、芳香性気体供給装置のブロアを稼働させて、ブロアの排気口から芳香ガイド管を介して、その先端（最上部）付近に設けられた開口から芳香性気体を含む空気を噴出することもできるようにされている。
【０１０２】
なお、起泡器、芳香性気体供給装置、及び銀イオン発生装置の位置は、背面の下方に設けられているが、この位置は特に限定されるものではなく、それぞれがポータブルトイレのどこにあってもよい。
【０１０３】
上記ポータブルトイレの使用は、以下のようにして行われる。座部カバーを二つ折にして背もたれ部側に押しやり、座部を露出させ、次いで、座部の前部を持上げ、背もたれ部側の軸を中心に回動させ９０度以上あげた状態で固定させ、便槽に設けられた便槽の蓋をその取手を掴んで取り外す。次に、座部を水平に戻し、この状態で、座部に座る。それにより、着座センサが排便者が着座したことを感知して、検知信号により、起泡器が動作して排便前に泡の塊が便槽中に充満される。次いで排便されると、排泄物は泡の下層に沈むことにより排泄物表面は泡に覆われた状態になり、臭気の発散が抑制される。
【０１０４】
泡が経時的に消滅し、排泄物表面が現われ悪臭が拡散するようになれば、第２の臭いセンサが臭いを検知し、その検知信号により起泡器が動作して、再び排泄物の表面を泡で覆うことにより、臭気の発散が抑制される。この場合は泡の量を経時消滅を補う所定量また計測して得られた必要量にしてもよい。便の位置、便の高さ、泡の塊の高さ等の検知・測定には、上記センサ以外にも、光学センサ、重量センサ、超音波センサ、静電センサ等を単独又は組み合わせて用いてもよい。
【０１０５】
さらに、排便中は、上記のように、第１の臭いセンサ、第２の臭いセンサ、着座センサなどの検知信号や手動スイッチの信号に応じて制御装置の指示により、芳香性気体供給装置から芳香性気体、銀イオン発生装置から銀イオンを含む霧が放出されてもよい。
【０１０６】
排便後、座部を垂直方向に向け、便槽の蓋を被せて座部を水平にし座部カバーを座部上に被せる。又適宜時期には、座部カバーを二つ折にして背もたれ部側に押しやり、座部を露出させ、次いで、座部の前部を持上げ、背もたれ部側の軸を中心に回動させ９０度以上あげた状態で固定させ、便槽を取り出し排泄物を廃棄処理し洗浄、乾燥後、便槽を元の位置に戻した後、便槽の蓋を便槽に被せる。次いで、座部、座部カバーを水平方向に戻して次の使用に備えたり、椅子として用いることもできる。
【０１０７】
上記の第１の臭いセンサ及び第２の臭いセンサは、実施例２で述べたものと同様であり、その制御方法も基本的に実施例２と同様である。
【０１０８】
上記の制御装置の機能などについてまとめると、周辺電子回路内臓のワンチップＰｓｏｃマイコンであり、着座センサ、第１の臭いセンサ、第２の臭いセンサその他必要あれば他のセンサの応答、手動スイッチの作動を処理し、起泡器、芳香性気体供給装置や銀イオン発生装置の動作を制御し、また臭い検知安定化のためソフトウエアによる各種処理を行うものである。  
【０１０９】
上記起泡器の動作と着座センサ、第２の臭いセンサの関係は、着座センサと第２の臭いセンサの組み合わせで作動、停止は着座センサ、第２の臭いセンサＯＦＦで停止とされる。また、これらのセンサとタイマとで、気泡が便槽内水面に万遍なく行き渡るような一定量放出される時間により、起泡器を停止させることもできるようにされている。
【０１１０】
なお、着座センサは、これが動作しているときは臭気検知でＯＮになった後、着座センサがＯＦＦにならない限り排便中と判断し芳香の噴気を続けるようにされている。
【産業上の利用可能性】
【０１１１】
本発明の芳香性気体供給装置は、簡単な装置であるため安価であり、霧滴を噴霧しないため、無駄なく芳香剤を用いることができるので、芳香剤の使用量が少なく、芳香性気体を安価に供給できる装置であり、芳香を必要とする環境での使用に好適に用いることができる。
【０１１２】
本発明のポータブルトイレによれば、排便時に排便者にとり悪臭が漏れ出して不快状態となるのを、臭いセンサで悪臭成分を検知することにより、自動的に芳香を噴出させ不快感を低減させることができる。更に、排便時以外においても、介護環境中に排泄物臭が漂うことによる、被介護者、介護者、同居者等の不快感を、臭いセンサで悪臭成分を検知することにより自動的に検知し、芳香を噴出させるため、介護環境が改善される。したがって本発明のポータブルトイレは介護用ポータブルトイレとして好適に用いることができる。
【図面の簡単な説明】
【０１１３】
【図１】本発明の芳香性気体供給装置の一例の断面図である。
【図２】本発明のポータブルトイレの一例の模式的に示した側面図である。
【図３】本発明のポータブルトイレの一例の模式的に示した背面図である。
【図４】活性炭シートが充填された実験用装置を示す図面代用写真である。
【図５】実験用装置による気化実験の測定系を示す図面代用写真である。
【図６】実施例３及び比較例１における、センサ検知電圧の測定値と経過時間との関係を示す図である。
【図７】比較例１の実験におけて、パフューム  アトマイザーを用いてセンサに向けて芳香剤を吹き付けている様子を示す図面代用写真である。
【図８】本発明のポータブルトイレの、他の一例を示す、ほぼ正面から見た図面代用写真である。
【図９】実施例４のポータブルトイレを用いて行った実用テストにおける、ブロアの最初の稼動開始時間からの経過時間とセンサ検知電圧の測定値との関係を示す図である。
【図１０】本発明のポータブルトイレの、更に、他の一例を示す図面代用写真であり、ポータブルトイレの斜め上からの俯瞰写真である。
【符号の説明】
【０１１４】
１      ポータブルトイレ
２      筒状本体
３      蓋
１００  気体貯蔵室１００
４      吸気口
５      流量調整蓋
５ａ    貫通孔
６      空気浄化フィルタ
７      筒状本体
８      蓋
２００  芳香物質貯蔵室
９      芳香剤を含む物質
１０    貫通孔
１１    芳香性気体
１２    活性炭繊維
１３    排気口
１４    ブロア
１５    吸気口
１６    排気口
１７    固定用枠
３０    ポータブルトイレ
３１    開口部
３２    座部
３３    便槽
３４    便槽の蓋
３４ａ  取手
３５    脚部
３６    背もたれ部
３７    アームレスト部
３８    座部カバー
３９    臭いセンサ
４０    芳香性気体供給装置
４１    制御装置
４２    芳香ガイド管
４４    臭いセンサ
４５    芳香性気体供給装置
４６    芳香ガイド管
４７    銀イオン発生装置
４８    ガイド管
４９    手動スイッチ
５０    着座センサ
【図１】
2008113830.tif 000003
【図２】
2008113830.tif 000004
【図３】
2008113830.tif 000005
【図６】
2008113830.tif 000006
【図９】
2008113830.tif 000007
【図４】
2008113830.tif 000008
【図５】
2008113830.tif 000009
【図７】
2008113830.tif 000010
【図８】
2008113830.tif 000011
【図１０】
2008113830.tif 000012